(57)【要約】  本開示の実施例が、セル設定方法、端末及びネットワークノードを提供し、該方法は、ネットワークから送信された、セル設定情報及びトリガー条件情報を含む設定メッセージを受信することと、前記端末が前記トリガー条件情報を満たす場合、前記セル設定情報を用いてセル設定を行うことと、を含む。
2021519015.tif 000002
【特許請求の範囲】
【請求項１】
端末に適用されるセル設定方法であって、
ネットワークから送信された、セル設定情報及びトリガー条件情報を含む設定メッセージを受信することと、
前記端末が前記トリガー条件情報を満たす場合、前記セル設定情報を用いてセル設定を行うことと、を含むセル設定方法。
【請求項２】
前記設定メッセージは、１つ以上のセル設定情報及び１つ以上のトリガー条件情報を含み、
前記端末が前記トリガー条件情報を満たす場合、前記セル設定情報を用いてセル設定を行うことは、
前記端末が少なくとも１つのトリガー条件情報を満たす場合、前記少なくとも１つのトリガー条件情報に対応するセル設定情報を用いてセル設定を行うことを含む、請求項１に記載のセル設定方法。
【請求項３】
前記設定メッセージは、トリガー条件情報リスト、セル設定情報リスト、及び関連関係リストを含み、
前記トリガー条件情報リストは、１つ以上のトリガー条件情報を含み、
前記セル設定情報リストは、１つ以上のセル設定情報を含み、
前記関連関係リストは、トリガー条件情報とセル設定情報との関連関係を含み、
又は、
前記設定メッセージは、トリガー条件リストを含み、
前記トリガー条件リストの各項目は、いずれも、トリガー条件情報と、そのトリガー条件情報に対応するセル設定情報とを含む、請求項１に記載のセル設定方法。
【請求項４】
前記トリガー条件情報リストの各項目は、いずれも、トリガー条件情報と、そのトリガー条件情報に対応する識別子情報とを含み、
前記セル設定情報リストの各項目は、いずれも、セル設定情報と、そのセル設定情報に対応する識別子情報とを含み、
前記関連関係は、
トリガー条件情報に対応する識別子情報とセル設定情報に対応する識別子情報との関連関係、又は、
トリガー条件情報に対応する識別子情報と前記セル設定情報リストの項目ラベルとの関連関係、又は、
トリガー条件情報リストの項目ラベルとセル設定情報に対応する識別子情報との関連関係、又は、
トリガー条件情報リストの項目ラベルと前記セル設定情報リストの項目ラベルとの関連関係を含む、請求項３に記載のセル設定方法。
【請求項５】
前記トリガー条件リストは、
第１条件項目、第２条件項目、及び第３条件項目の少なくとも１つを含み、
前記第１条件項目は、１つのトリガー条件情報及びその１つのトリガー条件情報に対応する１つのセル設定情報を含み、
前記第２条件項目は、１つのトリガー条件情報及びその１つのトリガー条件情報に対応する複数のセル設定情報を含み、又は、
前記第３条件項目は、１つのセル設定情報及びその１つのセル設定情報に対応する１つ以上のトリガー条件情報を含む、請求項３に記載のセル設定方法。
【請求項６】
前記設定メッセージは、
前記トリガー条件情報リストの各項目のトリガー条件情報は、それぞれ異なる情報コンテナに設定されることと、  
前記セル設定情報リストの各項目のセル設定情報は、それぞれ異なる情報コンテナに設定されることと、  
前記トリガー条件リストの各項目のトリガー条件情報は、それぞれ異なる情報コンテナに設定されることと、
前記トリガー条件リストの各項目のセル設定情報は、それぞれ異なる情報コンテナに設定されることと、
前記トリガー条件リストの各項目における、トリガー条件情報及びそのトリガー条件情報に対応するセル設定情報を含む内容は、それぞれ異なる情報コンテナに設定されることと、の少なくとも１つの設定を有する、請求項３に記載のセル設定方法。
【請求項７】
ネットワークから送信された設定メッセージを受信することは、
ソースノードから送信された前記設定メッセージを受信すること、又は、
ターゲットノードからソースノードを介して送信された前記設定メッセージを受信することを含む、請求項１〜６のいずれか１項に記載のセル設定方法。
【請求項８】
ソースノード又はターゲットノードに適用されるセル設定方法であって、
セル設定情報とトリガー条件情報とを取得することと、
前記セル設定情報及び前記トリガー条件情報を含む設定メッセージを端末に送信することとを含む、セル設定方法。
【請求項９】
前記設定メッセージは、１つ以上のセル設定情報及び１つ以上のトリガー条件情報を含む、請求項８に記載のセル設定方法。
【請求項１０】
前記設定メッセージは、トリガー条件情報リスト、セル設定情報リスト、及び関連関係リストを含み、
前記トリガー条件情報リストは、１つ以上のトリガー条件情報を含み、
前記セル設定情報リストは、１つ以上のセル設定情報を含み、
前記関連関係リストは、トリガー条件情報とセル設定情報との関連関係を含み、
又は、
前記設定メッセージは、トリガー条件リストを含み、
前記トリガー条件リストの各項目は、いずれも、トリガー条件情報と、そのトリガー条件情報に対応するセル設定情報とを含む、請求項８に記載のセル設定方法。
【請求項１１】
前記トリガー条件情報リストの各項目は、いずれも、トリガー条件情報と、そのトリガー条件情報に対応する識別子情報とを含み、
前記セル設定情報リストの各項目は、いずれも、セル設定情報と、そのセル設定情報に対応する識別子情報とを含み、
前記関連関係は、
トリガー条件情報に対応する識別子情報とセル設定情報に対応する識別子情報との関連関係、又は、
トリガー条件情報に対応する識別子情報と前記セル設定情報リストの項目ラベルとの関連関係、又は、
トリガー条件情報リストの項目ラベルとセル設定情報に対応する識別子情報との関連関係、又は、
トリガー条件情報リストの項目ラベルと前記セル設定情報リストの項目ラベルとの関連関係を含む、請求項１０に記載のセル設定方法。
【請求項１２】
前記トリガー条件リストは、
第１条件項目、第２条件項目、及び第３条件項目の少なくとも１つを含み、
前記第１条件項目は、１つのトリガー条件情報及びその１つのトリガー条件情報に対応する１つのセル設定情報を含み、
前記第２条件項目は、１つのトリガー条件情報及びその１つのトリガー条件情報に対応する複数のセル設定情報を含み、又は、
前記第３条件項目は、１つのセル設定情報及びその１つのセル設定情報に対応する１つ以上のトリガー条件情報を含む、請求項１０に記載のセル設定方法。
【請求項１３】
前記設定メッセージは、
前記トリガー条件情報リストの各項目のトリガー条件情報は、それぞれ異なる情報コンテナに設定されることと、
前記セル設定情報リストの各項目のセル設定情報は、それぞれ異なる情報コンテナに設定されることと、
前記トリガー条件リストの各項目のトリガー条件情報は、それぞれ異なる情報コンテナに設定されることと、
前記トリガー条件リストの各項目のセル設定情報は、それぞれ異なる情報コンテナに設定されることと、
前記トリガー条件リストの各項目における、トリガー条件情報及びそのトリガー条件情報に対応するセル設定情報を含む内容は、それぞれ異なる情報コンテナに設定されることと、の少なくとも１つの設定を有する、請求項１０に記載のセル設定方法。
【請求項１４】
前記方法が前記ターゲットノードに適用される場合、前記セル設定情報及び前記トリガー条件情報は、前記ターゲットノードが前記ソースノードとネゴシエートすることによって特定されるものであり、又は
前記方法が前記ソースノードに適用される場合、前記セル設定情報及び前記トリガー条件情報は、前記ソースノードが１つ以上のターゲットノードとネゴシエートすることによって特定されるものである、請求項８〜１３のいずれか１項に記載のセル設定方法。
【請求項１５】
前記方法が前記ターゲットノードに適用される場合、前記ターゲットノードは、前記ソースノードを介して、前記設定メッセージを前記端末に送信する、請求項８〜１３のいずれか１項に記載のセル設定方法。
【請求項１６】
端末であって、
ネットワークから送信された、セル設定情報及びトリガー条件情報を含む設定メッセージを受信することに用いられる受信モジュールと、
前記端末が前記トリガー条件情報を満たす場合、前記セル設定情報を用いてセル設定を行うことに用いられると設定モジュールと、を含む端末。
【請求項１７】
ソースノード又はターゲットノードであるネットワークノードであって、
セル設定情報とトリガー条件情報とを取得することに用いられる取得モジュールと、
前記セル設定情報及び前記トリガー条件情報を含む設定メッセージを端末に送信することに用いられる送信モジュールとを含む、ネットワークノード。
【請求項１８】
メモリと、プロセッサと、前記メモリに記憶され、前記プロセッサ上で実行可能なコンピュータプログラムとを含み、前記コンピュータプログラムがプロセッサに実行されると、請求項１〜７のいずれか１項に記載のセル設定方法が実現される、端末。
【請求項１９】
ソースノード又はターゲットノードであるネットワークノードであって、メモリと、プロセッサと、前記メモリに記憶され、前記プロセッサ上で実行可能なコンピュータプログラムとを含み、前記コンピュータプログラムが前記プロセッサに実行されると、請求項８〜１５のいずれか１項に記載のセル設定方法が実現される、ネットワークノード。
【請求項２０】
プロセッサによって実行されると、請求項１〜７のいずれか１項に記載のセル設定方法、又は請求項８〜１５のいずれか１項に記載のセル設定方法を実現するコンピュータプログラムを記憶しているコンピュータ可読記憶媒体。
【発明の詳細な説明】
【技術分野】
【０００１】
本願は、２０１８年３月１６日に中国に出願された中国特許出願番号２０１８１０２１７５０２．８の優先権を主張し、その内容全体が援用により本明細書に組み込まれる。
本発明は、通信技術分野に関し、特に、セル設定方法、端末及びネットワークノードに関する。
【背景技術】
【０００２】
５Ｇ（５ｔｈ  ｇｅｎｅｒａｔｉｏｎ）通信システムでは、ＤＣ（Ｄｕａｌ  Ｃｏｎｎｅｃｔｉｖｉｔｙ）アーキテクチャが新たに導入され、ＤＣアーキテクチャは、ネットワーク側のＭＮ（Ｍａｓｔｅｒ  Ｎｏｄｅ）に対応するＭＣＧ（Ｍａｓｔｅｒ  Ｃｅｌｌ  Ｇｒｏｕｐ）とネットワーク側のＳＮ（Ｓｅｃｏｎｄａｒｙ  Ｎｏｄｅ）に対応するＳＣＧ（Ｓｅｃｏｎｄａｒｙ  Ｃｅｌｌ  Ｇｒｏｕｐ）との２つのセルグループを含んでもよい。さらに、ＭＣＧは、１つのＰＣｅｌｌ（Ｐｒｉｍａｒｙ  Ｃｅｌｌ）と、１つ以上のＳＣｅｌｌ（Ｓｅｃｏｎｄａｒｙ  Ｃｅｌｌ）とを含んでもよく、ＳＣＧは、１つのＰＳＣｅｌｌ（Ｐｒｉｍａｒｙ  Ｓｅｃｏｎｄａｒｙ  Ｃｅｌｌ）と、１つ以上のＳＣｅｌｌとを含んでもよい。しかしながら、現在の通信システムでは、端末は、あるセルから他のセルへのハンドオーバーを行うことしかできず、セルの追加、削除、変更などの柔軟な端末のセルの設定を行うことができない。このように、端末のセルを柔軟に設定することは、現在、解決が急務となっている技術的課題である。
【発明の概要】
【発明が解決しようとする課題】
【０００３】
本開示の実施例は、端末のセルを柔軟に設定するという問題を解決するためのセル設定方法、端末、及びネットワークノードを提供する。
【課題を解決するための手段】
【０００４】
上記技術問題を解決するために、本開示は、端末に適用されるセル設定方法を実現し、
ネットワークから送信された、セル設定情報及びトリガー条件情報を含む設定メッセージを受信することと、
前記端末が前記トリガー条件情報を満たす場合、前記セル設定情報を用いてセル設定を行うことと、を含む。
【０００５】
第１方面において、本開示の実施例は、端末に適用されるセル設定方法を提供し、ネットワークから送信された、セル設定情報及びトリガー条件情報を含む設定メッセージを受信することと、
前記端末が前記トリガー条件情報を満たす場合、前記セル設定情報を用いてセル設定を行うことと、を含む。
【０００６】
第２方面において、本開示の実施例は、ソースノード又はターゲットノードに適用されるセル設定方法を提供し、セル設定情報とトリガー条件情報とを取得することと、前記セル設定情報及び前記トリガー条件情報を含む設定メッセージを端末に送信することとを含む。
【０００７】
第３方面において、本開示の実施例は、ネットワークから送信された、セル設定情報及びトリガー条件情報を含む設定メッセージを受信することに用いられる受信モジュールと、前記端末が前記トリガー条件情報を満たす場合、前記セル設定情報を用いてセル設定を行うことに用いられると設定モジュールとを含み、ターゲットノードからソースノードを介して送信された前記設定メッセージを受信する端末を提供する。
【０００８】
第４方面において、本開示の実施例は、ソースノード又はターゲットノードであって、セル設定情報とトリガー条件情報とを取得することに用いられる取得モジュールと、前記セル設定情報及び前記トリガー条件情報を含む設定メッセージを端末に送信することに用いられる送信モジュールとを含むネットワークノードを提供する。
【０００９】
第５方面において、本開示の実施例は、メモリと、プロセッサと、メモリに記憶され、前記プロセッサ上で実行可能なコンピュータプログラムとを含む端末を提供し、前記コンピュータプログラムは、プロセッサによって実行されると、本開示の実施例によって提供される端末側のセル設定方法を実現する。
【００１０】
第６方面において、本開示の実施例は、メモリと、プロセッサと、メモリに記憶され、前記プロセッサ上で実行可能なコンピュータプログラムとを含む、ソースノード又はターゲットノードであるネットワークノードを提供し、前記コンピュータプログラムは、プロセッサによって実行されると、本開示の実施例によって提供されるネットワークノード側のセル設定方法を実現する。
【００１１】
第７方面において、本開示の実施例は、コンピュータプログラムが記憶されているコンピュータ可読記憶媒体を提供し、前記コンピュータプログラムがプロセッサによって実行されると、本開示の実施例によって提供される端末側のセル設定方法のステップ、又は、本開示の実施例によって提供されるネットワークノード側のセル設定方法のステップを実現する。
【発明の効果】
【００１２】
本開示の実施例では、ネットワークから送信された、セル設定情報及びトリガー条件情報を含む設定メッセージを受信することと、前記端末が前記トリガー条件情報を満たす場合、前記セル設定情報を用いてセル設定を行う。これによって、端末のセルを柔軟に設定し、端末の通信性能を向上させることができる。
【図面の簡単な説明】
【００１３】
【図１】本開示の実施例に係る適用可能なネットワークシステムの構成図である。
【図２】本開示の実施例に係るセル設定方法のフローチャートである。
【図３】本開示の実施例に係る別のセル設定方法のフローチャートである。
【図４】本開示の実施例に係る別のセル設定方法のフローチャートである。
【図５】本開示の実施例に係る別のセル設定方法の概略図である。
【図６】本開示の実施例に係る別のセル設定方法の概略図である。
【図７】本開示の実施例に係る端末の構成図である。
【図８】本開示の実施例に係るネットワークノードの構成図である。
【図９】本開示の実施例に係る別の端末の構成図である。
【図１０】本開示の実施例に係る別のネットワークノードの構成図である。
【発明を実施するための形態】
【００１４】
以下、本開示の実施例における技術手段を、本開示の実施例における図面を参照して、明確かつ完全に説明するが、明らかに、説明される実施例は、本開示の実施例の全てではなく、一部こそである。本開示の実施例に基づいて、創造的な労働なしに当業者によって得られる他のすべての実施例は、本開示の保護範囲に属する。本明細書及び特許請求の範囲において、「及び／又は」は、接続された対象のうちの少なくとも１つを意味する。
【００１５】
図１は、本開示の実施例に係る適用可能なネットワークシステムの構成図である。図１を参照すると、ネットワークシステムは、端末１１、ソースノード１２、及びターゲットノード１３を含む。ここで、端末１１は、端末機器やＵＥ（Ｕｓｅｒ  Ｅｑｕｉｐｍｅｎｔ）と呼ばれてもよく、携帯電話、タブレット（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、ＰＤＡ（Ｐｅｒｓｏｎａｌ  Ｄｉｇｉｔａｌ  Ａｓｓｉｓｔａｎｔ）、ＭＩＤ（Ｍｏｂｉｌｅ  Ｉｎｔｅｒｎｅｔ  Ｄｅｖｉｃｅ）、ウェアラブルデバイス（Ｗｅａｒａｂｌｅ  Ｄｅｖｉｃｅ）、又は車載機器などの端末側機器である。なお、本開示の実施例では、端末１１の具体的なタイプは限定されない。前記ソースノード１２は、端末１１が現在接続されているネットワークノードのうちの１つであってもよい。例えば、端末１１が現在接続されているネットワークノードはＭＮとＳＮとを含め、前記ソースノード１２は、ＭＮ及びＳＮのうちの１つである。一方、前記ターゲットノード１３は、端末１１が現在接続されているネットワークノードのうちのネットワークノードであってもよく、端末１１が現在接続されていないネットワークノードであってもよい。本開示の実施例では、端末１１によるセル設定は、セルの追加、削除、変更の少なくとも１つを含む。従って、端末１１によるセル設置の過程で、ターゲットノード１３との接続を削除するか、又はターゲットノード１３との接続を確立するかを行う可能性がある。そして、本開示の実施例で適用されるネットワーク構成は、１つ以上のターゲットノード１３を含み得るが、ここで、図面は、１つのターゲットノード１３で例示される。
【００１６】
また、本開示の実施例では、ネットワークノードは、５Ｇおよび以降のバージョンの基地局（例えば、５Ｇ  ＮＲ  ＮＢ）、又は他の通信システムの基地局、又はノードＢ、進化ノードＢ、又はＭＮ、又はＳＮ、又は分野におけるほかの用語と呼ばれることがあり、同じ技術的効果が達成される限り、特定の技術的用語に限定されるものではない。
【００１７】
また、本開示の実施例は、ＤＣアーキテクチャに適用可能であり、ＤＣアーキテクチャは、ネットワーク側のＭＮに対応ＭＣＧ及びネットワーク側のＳＮに対応するＳＣＧの２つのセルグループを含み得る。また、ＭＣＧは、１つのＰＣｅｌｌと、１つ以上のＳＣｅｌｌとを含んでもよく、ＳＣＧは、１つのＰＳＣｅｌｌと、１つ以上のＳＣｅｌｌとを含んでもよい。ここで、ＰＣｅｌｌ及びＰＳＣｅｌｌは、総称してＳｐＣｅｌｌと呼ばれてもよい。  
【００１８】
なお、本開示の実施例に係る端末１１、ソースノード１２及びターゲットノード１３の具体的な機能は、以下の複数の実施例によって具体的に説明される。
【００１９】
図２は、本開示の実施例に係る端末に適用されるセル設定方法のフローチャートである。図２を参照すると、そのセル設定方法は、ステップ２０１とステップ２０２とを含む。
【００２０】
ステップ２０１において、ネットワークから送信された、セル設定情報及びトリガー条件情報を含む設定メッセージを受信する。
【００２１】
ここで、前記設定メッセージは、ＲＲＣ（Ｒａｄｉｏ  Ｒｅｓｏｕｒｃｅ  Ｃｏｎｔｒｏｌ）メッセージであってもよいし、当然ながら、ほかの下りメッセージであってもよく、それに対して、本開示の実施例で限定しない。
【００２２】
さらに、前記設定メッセージには、１つ以上のセル設定情報、及び１つ以上のトリガー条件情報を含む。また、セル設定情報とトリガー条件情報とは、対応関係がある。ここで、前記トリガー条件情報は、端末があるトリガー条件を満たす場合に、対応するセル設置情報を用いてセル設定を行い得ることを示すものである。セル設定情報は、端末がセル設定を行う際に、対応するセルの設定である。例えば、前記トリガー条件情報は、測定結果閾値を示し、前記セル設定情報は、端末がターゲットセルに対し、追加、削除、又は変更の操作を行う際に、対応するターゲットセルの設定である。そうすると、端末の測定結果が測定結果閾値を満たす場合、端末は、対応するセル設定情報を用いて、ターゲットセルに対し、追加、削除、又は変更の操作を行う。
【００２３】
また、前記ネットワークから送信された設定メッセージを受信することは、ソースノードから送信された前記設定メッセージを受信することを含む。
ここで、該ソースノードは、前記設定メッセージを送信する前に、１つ以上のターゲットノードとネゴシエートして、トリガー条件情報とセル設定情報を特定する。ネゴシエートは、ソースノードがターゲットノードとシグナリング相互作用を行い、トリガー条件情報とセル設定情報を特定することである。また、セル設定情報は、ソースノードとターゲットノードとのネゴシエートによって特定されるものであるので、該セル設定情報は、ターゲットノードのターゲットセルに対応する。該セル設定情報は、ターゲットセルの設定情報と呼ばれてもよい。すなわち、該セル設定情報は、端末がターゲットセルに対しセル設定（追加、削除、又は変更の操作）を行う際に、対応するターゲットセルの設定情報である。
【００２４】
例えば、ソースノードは、１つ以上のターゲットノードのターゲットセルの設定情報を受信した後、トリガー条件情報とターゲットセルの設定情報を関連付けて、前記設定メッセージでトリガー条件情報とターゲットセルの設定情報を送信する。なお、１つのターゲットノードは、１つ以上のターゲットセルの設定情報に対応する。また、本開示の実施例では、ターゲットセルは、端末によるセル設定過程に係るセルとして理解され、例えば、セル設定はセル削除であれば、削除されるセルがターゲットセルとしてよく、又は、セル設定はセル追加であれば、追加されるセルがターゲットセルとしてもよく、又は、セル設定はセル変更であれば、変更後のセルがターゲットセルとしてよい。
【００２５】
ソースノードから送信された前記設定メッセージを受信することで、端末がソースノードを介して１つ以上のターゲットノードに対応するトリガー条件情報及びセル設定情報を受信し、伝送オーバーヘッドを節約することができる。
【００２６】
当然ながら、ネットワークから送信された設定メッセージを受信することは、ターゲットノードからソースノードを介して送信された前記設定メッセージを受信することを含む。
【００２７】
同様に、前記ターゲットノードが、前記設定メッセージを送信する前に、ソースノードとネゴシエートして、前記トリガー条件情報とセル設定情報を特定する。また、該セル設定情報は、前記ターゲットノードと前記ソースノードとのネゴシエートによって特定されるものであるので、該セル設定情報は、該ターゲットノードのターゲットセルに対応する。該セル設定情報は、ターゲットセルの設定情報と呼ばれてもよい。すなわち、該セル設定情報は、端末がターゲットセルに対しセル設定（追加、削除、又は変更の操作）を行う際に、対応するターゲットセルの設定情報である。また、前記ターゲットノードは、１つ以上のセル設定情報に対応し、異なるセル設定情報は、異なるターゲットセルに対応する。
【００２８】
例えば、ターゲットノードは、ソースノードから条件トリガーによる１つ以上のセル管理要求情報を受信した後、トリガー条件情報とターゲットセルの設定情報を関連付け、ＲＲＣメッセージでＵＥ端末に送信する。
【００２９】
ターゲットノードからソースノードを介して送信された設定メッセージを受信することで、ターゲットノードによる設定メッセージの発行を実現することができ、設定メッセージがソースノードにとっては透過的となり、転送又は透過的送信のみが必要であるため、ソースノードの複雑さを軽減し、電力消費を節約することができる。
【００３０】
また、本開示の実施例では、前記ソースノード及びターゲットノードは、それぞれ、セル設定過程（又はセルハンドオーバー過程）におけるソース基地局（又はソースＭＮ）及びターゲット基地局（又はターゲットＭＮ）だったり、ＤＣにおけるソースＳＮ及びターゲットＳＮだったり、ＤＣにおけるソースＭＮ及びターゲットＳＮだったりであり、限定されるものではない。
【００３１】
ステップ２０２、前記端末が前記トリガー条件情報を満たす場合、前記セル設定情報を用いてセル設定を行う。
【００３２】
端末が前記設定メッセージを受信した後、ネットワークの設定に応じて条件評価を行って、端末があるトリガー条件情報を満たす場合、対応するセル設定情報を用いてセル設定を行う。ここで、セル設定は、セルに対しての削除、追加、及び変更の操作の少なくとも１つである。ここで、削除は、ターゲットセルの削除であり、追加は、ターゲットセルの追加であり、上記の変更の操作は、ソースノードをターゲットセルに変更する。
【００３３】
なお、本開示の実施例には、セル設定は、ターゲットセルの追加、ターゲットセルの削除、又はターゲットセルに変更するなどのターゲットセルに対しての設定である。また、本開示の実施例は、トリガー条件情報に基づいてセル設定を行うので、トリガー条件情報によるセル変更を実現でき、端末がトリガー条件情報に基づいてセル設定を自主的に行い、柔軟なセル設定（又は管理）を実現し、これにより、端末の通信性能を向上させる。トリガー条件によるセル設定のため、本開示の実施例におけるセルは、条件セルや、条件管理用のセルと呼ばれてもよい。
【００３４】
なお、本開示の実施例に提供される上記方法は、５Ｇシステムに適用することができるが、それに限定がない、基本的に同じ機能を達成することができる限り、他の通信システムに適用され、例えば、６Ｇシステム又はセル設定を採用する他の通信システム等に適用され得る。
【００３５】
本実施例には、ネットワークから送信された、セル設定情報及びトリガー条件情報を含む設定メッセージを受信することと、前記端末が前記トリガー条件情報を満たす場合、前記セル設定情報を用いてセル設定を行うことにより、端末のセルを柔軟に設定し、端末の通信性能を向上させることができる。
【００３６】
図３は、本開示の実施例に係る端末に適用される別のセル設定方法のフローチャートである。図３に示すように、そのセル設定方法は、ステップ３０１とステップ３０２とを含む。
【００３７】
ステップ３０１、ネットワークから送信された、１つ以上のセル設定情報及び１つ以上のトリガー条件情報を含む設定メッセージを受信する。
【００３８】
ここで、前記設定メッセージに含まれるセル設定情報とトリガー条件情報とは、関連関係を有する。例えば、１つのトリガー条件情報は、１つ以上のセル設定情報に対応することで、１つのトリガー条件情報を満たすと、１つ以上のセル設定情報を用いて、セル設定を行うことができる。又は、１つのセル設定情報は、１つ以上のトリガー条件情報に対応することで、１つのトリガー条件情報、又は複数のトリガー条件情報のうちの１つ以上を満たすと、端末が、対応するセル設定情報を用いて、セル設定を行うことができる。また、１つのセル設定情報は、１つ以上のターゲットセルに対応する。
【００３９】
選択可能な実施形態として、前記設定メッセージは、トリガー条件情報リスト（ｌｉｓｔ  Ｏｆ  Ｃｏｎｄｉｔｉｏｎ）、セル設定情報リスト（ｌｉｓｔ  Ｏｆ  Ｃｏｎｆｉｇ）、及び関連関係リスト（ｌｉｓｔ  Ｏｆ  Ｒｅｌａｔｉｏｎ）を含み、前記トリガー条件情報リストは、１つ以上のトリガー条件情報を含み、前記セル設定情報リストは、１つ以上のセル設定情報を含み、前記関連関係リストは、トリガー条件情報とセル設定情報との関連関係を含み、又は、
前記設定メッセージは、トリガー条件リストを含み、ここで、前記トリガー条件リストの各項目は、いずれも、トリガー条件情報と、そのトリガー条件情報に対応するセル設定情報とを含む。
【００４０】
前記トリガー条件情報リストの各項目は、それぞれ、１つのトリガー条件情報を含み、前記セル設定情報リストの各項目は、それぞれ、１つのセル設定情報を含んでもよい。また、前記関連関係リストの各項目は、それぞれ、１つの関連関係を含んでもよい。
【００４１】
前記トリガー条件情報リストの各項目には、トリガー条件情報に加えて、識別子情報を含んでもよい。例えば、前記トリガー条件情報リストの各項目は、いずれも、トリガー条件情報とそのトリガー条件情報に対応する識別子情報（ｃｏｎｄｉｔｉｏｎ  ＩＤなど）とを含む。これにより、トリガー条件情報をそのトリガー条件情報の識別子情報により特定したり、トリガー条件情報とセル設定情報とを該識別子情報により関連付けることができる。
【００４２】
同様に、前記セル設定情報リストの各項目は、いずれも、セル設定情報と、そのセル設定情報に対応する識別子情報（ｒｅｃｏｎｆｉｇｕｒａｔｉｏｎ  ＩＤ）とを含む。これによって、セル設定情報をそのセル設定情報の識別子情報により特定したり、セル設定情報とトリガー条件情報とを該識別子情報により関連付けることができる。
【００４３】
前記関連関係は、
トリガー条件情報に対応する識別子情報とセル設定情報に対応する識別子情報との関連関係、又は、
トリガー条件情報に対応する識別子情報と前記セル設定情報リストの項目ラベルとの関連関係、又は、
トリガー条件情報リストの項目ラベルとセル設定情報に対応する識別子情報との関連関係、又は、
トリガー条件情報リストの項目ラベルと前記セル設定情報リストの項目ラベルとの関連関係を含む。
ここで、該実施形態における項目ラベルは、リストの項目を示す。例えば、リストの第一項目は、ラベル１であり、リストの第２項目は、ラベル２である。
【００４４】
上記提供される関連関係により、トリガー条件情報とセル設定情報との柔軟な関連付けを実現し、柔軟性が向上する。
【００４５】
この実施形態では、前記トリガー条件情報リスト、セル設定情報リスト、及び関連関係リストにより、トリガー条件情報とセル設定情報との正確な関連付けを実現することができ、よって、端末の正確な設定を行い、トリガー条件情報とセル設定情報とのより柔軟な関連付け設定を実現することができる。また、前記トリガー条件リストは、１以上の項目を含むことにより、トリガー条件リストは、１以上のセル設定情報と、１以上のトリガー条件情報とを含むことが可能になる。これは、トリガー条件情報とセル設定情報とは、１対１の関係であってもよいし、１対多の関係であってもよいし、多対１の関係であってもよいからである。
【００４６】
また、上記実施形態では、各項目がいずれもトリガー条件情報及びそれに対応するセル設定情報を含むので、１つのトリガー条件リストのみを含んでもよい。例えば、各項目がそれぞれ、異なるトリガー条件情報及び対応するセル設定情報を含む。これにより、１つのリストにより、トリガー条件情報とセル設定情報との正確な関連付けを実現することができ、端末の正確な設定が可能となり、トリガー条件情報とセル設定情報とのより柔軟な関連付けの設定を実現し、シグナリング伝送オーバーヘッドを節約することができる。
【００４７】
ここで、前記トリガー条件リストは、
第１条件項目、第２条件項目、及び第３条件項目の少なくとも１つを含み、
ここで、前記第１条件項目は、１つのトリガー条件情報及びその１つのトリガー条件情報に対応する１つのセル設定情報を含み、
前記第２条件項目は、１つのトリガー条件情報及びその１つのトリガー条件情報に対応する複数のセル設定情報を含み、又は、
前記第３条件項目は、１つのセル設定情報及びその１つのセル設定情報に対応する１つ以上のトリガー条件情報を含む。
【００４８】
ここで、前記第１条件項目により、トリガー条件情報とセル設定情報との１対１の関連関係を実現することができ、端末があるトリガー条件情報を満たす場合、対応する１つのセル設定情報を用いてセル設定を行うことができる。例えば、１つのターゲットセルを削除したり、１つのターゲットセルを追加したり、１つのターゲットセルに変更したりすることができる。
【００４９】
また、前記第２条件項目により、トリガー条件情報とセル設定情報との１対多の関連関係を実現することができ、端末があるトリガー条件情報を満たす場合、対応する複数のセル設定情報を用いてセル設定を行うことができる。例えば、複数のターゲットセルを削除したり、複数のターゲットセルを追加したり、１つのターゲットセルを削除し、別の１つのターゲットセルを追加したりすることができる。
【００５０】
また、前記第３条件項目により、トリガー条件情報とセル設定情報との多対１又は１対１の関連関係を実現することができる。端末がこのトリガー条件情報、又はこれらの複数のトリガー条件情報のうちの１つ以上を満たす場合、該セル設定情報を用いて、セル設定を行うことができる。例えば、１つのターゲットセルを削除したり、１つのターゲットセルを追加したり、１つのターゲットセルに変更したりすることができる。
【００５１】
なお、前記トリガー条件リストは、第１条件項目、第２条件項目、及び第３条件項目の少なくとも１つを含むことは、前記トリガー条件リストにおける条件項目は、いずれも、第１条件項目、第２条件項目、又は、第３条件項目であり、又は、前記トリガー条件リストにおける条件項目の１部は、第１条件項目、第２条件項目、又は、第３条件項目であることと理解される。
【００５２】
前記第１条件項目、第２条件項目、及び第３条件項目により、前記トリガー条件リストで、異なる場合においてトリガー条件情報とセル設定情報との柔軟な関連付けを実現し得ることで、柔軟性が向上する。
【００５３】
また、本実施例では、ソースノードの実現過程を単純化し、その複雑度を低減するために、前記設定メッセージは、
前記トリガー条件情報リストの各項目のトリガー条件情報は、それぞれ異なる情報コンテナに設定されることと、
前記セル設定情報リストの各項目のセル設定情報は、それぞれ異なる情報コンテナに設定されることと、
前記トリガー条件リストの各項目のトリガー条件情報は、それぞれ異なる情報コンテナに設定されることと、
前記トリガー条件リストの各項目のセル設定情報は、それぞれ異なる情報コンテナに設定されることと、
前記トリガー条件リストの各項目における、トリガー条件情報及びそのトリガー条件情報に対応するセル設定情報を含む内容は、それぞれ異なる情報コンテナに設定されることと、の少なくとも１つの設定を有する。
【００５４】
ここで、前記トリガー条件情報リストの各項目におけるトリガー条件情報が、それぞれ異なる情報コンテナに設定されるとは、前記トリガー条件情報リストの各項目のトリガー条件情報が個別に１つの情報コンテナに設定されることである。例えば、前記設定メッセージには、複数の条件情報コンテナ（例えば、ｃｏｎｔａｉｎｅｒ（ｃｏｎｄｉｔｉｏｎ））が含まれ、該複数の条件情報コンテナのそれぞれには、複数のトリガー条件情報が設定される。
【００５５】
前記セル設定情報リストの各項目のセル設定情報が、それぞれ異なる情報コンテナに設定されるとは、前記セル設定情報リストの各項目のセル設定情報が、個別に１つの情報コンテナに設定されることである。例えば、前記設定メッセージには、複数の設定情報コンテナ（例えば、ｃｏｎｔａｉｎｅｒ（ＲＲＣ  Ｒｅｃｏｎｆｉｇｕｒａｔｉｏｎ））が含まれ、該複数の設定情報コンテナのそれぞれには、複数のセル設定情報を設定される。
【００５６】
前記トリガー条件リストのトリガー条件情報及びセル設定情報については、前記のトリガー条件情報リスト及びセル設定情報リストに関する説明を参照し、ここで贅言しない。
【００５７】
前記トリガー条件リストの各項目における内容が、それぞれ異なる情報コンテナに設定されるとは、トリガー条件リストの各項目における内容（トリガー条件情報とそのトリガー条件情報に対応するセル設定情報）が個別に１つの情報コンテナに設定されることである。即ち、各情報コンテナには、関連関係を有するトリガー条件情報とセル設定情報とが設定される。
【００５８】
設定メッセージは、前記少なくとも１つの条件を満たすので、セル設定情報及びトリガー条件情報の少なくとも１つが情報コンテナに設定される。これによって、セル設定情報及びトリガー条件情報の少なくとも１つがソースノードにとっては透過的であって、ソースノードは、その具体内容を取得する必要がないため、ソースノードの実現過程が単純化され、その複雑さを低減することができる。
【００５９】
なお、本実施例に説明した前記トリガー条件情報リスト、セル設定情報リスト、関連関係リスト、及び前記トリガー条件リストの実施形態は、図２に示す実施例にも同様に適用可能であり、同様の有益な効果を達成することができる。
【００６０】
ステップ３０２、前記端末が少なくとも１つのトリガー条件情報を満たす場合、前記少なくとも１つのトリガー条件情報に対応するセル設定情報を用いてセル設定を行う。
【００６１】
ここで、前記少なくとも１つトリガー条件情報は、ステップ３０１で受信される設定メッセージにおけるいずれか又は複数のトリガー条件情報であってよい。
【００６２】
該ステップにより、ネットワークに設定されるトリガー条件情報とセル設定情報との関連関係に基づいて、端末が一つ又は複数のトリガー条件情報をトリガーすると、該トリガー条件情報に関連付けられたターゲットセルの設定を採用することが実現される。例えば、端末がトリガー条件情報ａを満たす場合に、トリガー条件情報ａに対応するセル設定情報は、ターゲットセルａの設定情報である。これによって、トリガー条件情報ａを満たす場合に、端末がターゲットセルａの設定情報を用いてターゲットセルａの設定、例えば、ターゲットセルａの削除、ターゲットセルａの追加、又はターゲットセルａに変更することを行う。
【００６３】
本実施例では、図２に示す実施例に複数の選択可能な実施形態を追加し、端末の通信性能を向上させるために端末のセルを柔軟に設定することができ、また、トリガー条件情報及びセル設定情報の関連付けの柔軟性を向上させ、ソースノードの複雑さを低減させるなどの有益な効果を達成することができる。
【００６４】
図４は、本開示の実施例に係るソースノード又はターゲットノードに適用される別のセル設定方法のフローチャートである。図４に示すように、その方法は、
ステップ４０１、セル設定情報とトリガー条件情報とを取得することと、
ステップ４０２、前記セル設定情報及び前記トリガー条件情報を含む設定メッセージを端末に送信することとを含む。
【００６５】
選択可能に、前記設定メッセージは、１つ以上のセル設定情報及び１つ以上のトリガー条件情報を含む。
選択可能に、前記設定メッセージは、トリガー条件情報リスト、セル設定情報リスト、及び関連関係リストを含み、前記トリガー条件情報リストは、１つ以上のトリガー条件情報を含み、前記セル設定情報リストは、１つ以上のセル設定情報を含み、前記関連関係リストは、トリガー条件情報とセル設定情報との関連関係を含み、又は、
前記設定メッセージは、トリガー条件リストを含み、ここで、前記トリガー条件リストの各項目は、いずれも、トリガー条件情報およびそのトリガー条件情報に対応するセル設定情報とを含む。
【００６６】
選択可能に、前記トリガー条件情報リストの各項目は、いずれも、トリガー条件情報と、そのトリガー条件情報に対応する識別子情報とを含み、
前記セル設定情報リストの各項目は、いずれも、セル設定情報と、そのセル設定情報に対応する識別子情報とを含み、
前記関連関係は、
トリガー条件情報に対応する識別子情報とセル設定情報に対応する識別子情報との関連関係、又は、
トリガー条件情報に対応する識別子情報と前記セル設定情報リストの項目ラベルとの関連関係、又は、
トリガー条件情報リストの項目ラベルとセル設定情報に対応する識別子情報との関連関係、又は、
トリガー条件情報リストの項目ラベルと前記セル設定情報リストの項目ラベルとの関連関係を含む。
【００６７】
選択可能に、前記トリガー条件リストは、
第１条件項目、第２条件項目、及び第３条件項目の少なくとも１つを含み、
ここで、前記第１条件項目は、１つのトリガー条件情報及びその１つのトリガー条件情報に対応する１つのセル設定情報を含み、
前記第２条件項目は、１つのトリガー条件情報及びその１つのトリガー条件情報に対応する複数のセル設定情報を含み、又は、
前記第３条件項目は、１つのセル設定情報及びその１つのセル設定情報に対応する１つ以上のトリガー条件情報を含む。
【００６８】
選択可能に、前記設定メッセージは、
前記トリガー条件情報リストの各項目のトリガー条件情報は、それぞれ異なる情報コンテナに設定されることと、
前記セル設定情報リストの各項目のセル設定情報は、それぞれ異なる情報コンテナに設定されることと、
前記トリガー条件リストの各項目のトリガー条件情報は、それぞれ異なる情報コンテナに設定されることと、
前記トリガー条件リストの各項目のセル設定情報は、それぞれ異なる情報コンテナに設定されることと、
前記トリガー条件リストの各項目における、トリガー条件情報及びそのトリガー条件情報に対応するセル設定情報を含む内容は、それぞれ異なる情報コンテナに設定されることと、の少なくとも１つの設定を有する。
【００６９】
選択可能に、前記方法が前記ターゲットノードに適用される場合、前記セル設定情報及び前記トリガー条件情報は、前記ターゲットノードが前記ソースノードとネゴシエートすることによって特定されるものであり、又は
前記方法が前記ソースノードに適用される場合、前記セル設定情報及び前記トリガー条件情報は、前記ソースノードが１つ以上のターゲットノードとネゴシエートすることによって特定されるものである。
【００７０】
選択可能に、前記方法が前記ターゲットノードに適用される場合、前記ターゲットノードは、前記ソースノードを介して、前記設定メッセージを前記端末に送信する。
【００７１】
なお、本実施例は、図２及び図３に示す実施例に対応するソースノード又はターゲットノードの実施形態として、その具体的な実施形態については、図２及び図３に示す実施形態の関連説明を参照し、同じ有益な効果を達成する。説明の重複を避けるために、ここでは贅言しない。
【００７２】
図５は、本開示の実施例に係る別のセル設定方法の概略図である。図５に示すように、図５におけるソースノード及びターゲットノードは、ハンドオーバー過程におけるソース基地局及びターゲット基地局だったり、ＤＣにおけるソースＳＮ及びターゲットＳＮだったり、ＤＣにおけるソースＭＮ及びターゲットＳＮだったりであり得る。図５に示すように、その方法は、ステップ５０１とステップ５０２とを含む。
【００７３】
ステップ５０１、ソースノードとターゲットノードとは、条件セル管理用の「トリガー条件情報」と「ターゲットセルの設定情報」をネゴシエートする。
【００７４】
ここで、該「条件セル管理」は、ネットワーク側が、端末に対して「トリガー条件情報」と「ターゲットセルの設定情報」とを設定する一方、端末が、設定されたトリガー条件を満たしたことを評価した後、ネットワークにより設定されたターゲットセルの設定情報に基づいて、ターゲットセルの追加、削除、又は変更の操作を行う、ということを示す。ここで、端末による該「トリガー条件」の評価は、１つ以上のセル測定結果に対する端末の評価を含む。例えば、あるセルの測定結果の値が設定された閾値を満たす。上記の「ターゲットセルの設定情報」は、端末がトリガー条件を満たした後、ターゲットセルに対し追加、削除、又は変更の操作を行う場合の対応するターゲットセルの設定である。
【００７５】
ステップ５０２、ネットワーク側ソースノードが、１つ以上のターゲットノードの１つ以上の条件トリガーによるターゲットセルの設定情報を受信した後、「トリガー条件情報」と「ターゲットセルの設定情報」とを関連付けたＲＲＣメッセージを端末に送信する。ここで、該ＲＲＣメッセージに設定される「トリガー条件情報」と「ターゲットセルの設定情報」とは、次の方法で関連付けられる。
【００７６】
方法１（複数リスト関連）
【００７７】
その設定は、
トリガー条件リスト（ｌｉｓｔ  Ｏｆ  Ｃｏｎｄｉｔｉｏｎなど）、ターゲットセル設定リスト（ｌｉｓｔ  Ｏｆ  Ｃｏｎｆｉｇなど）、及び関連関係リスト（ｌｉｓｔ  Ｏｆ  Ｒｅｌａｔｉｏｎなど）を含み、
ここで、上記「トリガー条件リスト」は、トリガー条件情報リストとも呼ばれ、該「トリガー条件リスト」の各項目は、条件セル管理用の「トリガー条件情報」を含む。該「トリガー条件情報」に対応する識別子（例えばｃｏｎｄｉｔｉｏｎ  ＩＤ）を含んでもよい。
【００７８】
ここで、該「ターゲットセル設定リスト」の各項目は、条件セル管理用の「ターゲットセルの設定情報」を含む。該「ターゲットセルの設定情報」に対応する識別子（例えばｃｏｎｄｉｔｉｏｎ  ＩＤ）を含んでもよい。
【００７９】
ここで、「関連関係リスト」は、「トリガー条件情報」と「ターゲットセルの設定情報」との関連関係を示すことに使用され、その各項目の関連関係は、
「トリガー条件情報」に対応する識別子と「ターゲットセルの設定情報」に対応する識別子との関連関係、
「トリガー条件情報」に対応する識別子と「セル設定情報リスト」の項目ラベル（例えば、リストの第１項目は「ラベル１」である）との関連関係、
「トリガー条件リスト」の項目ラベル（例えば、リストの第１項目は「ラベル１」である）と「ターゲットセルの設定情報」に対応する識別子との関連関係、及び
「トリガー条件リスト」の項目ラベル（例えば、リストの第１項目は「ラベル１」である）と、「ターゲットセルの設定リスト」の項目ラベル（例えば、リストの第１項目は「ラベル１」である）との関連関係の少なくとも１つを含み、
ここで、該「トリガー条件リスト」の各項目の「トリガー条件情報」は、１つの情報コンテナ（例えば、ｃｏｎｔａｉｎｅｒ（ＲＲＣ  Ｒｅｃｏｎｆｉｇｕｒａｔｉｏｎ））に含まれ、
ここで、該「ターゲットセル設定リスト」の各項目の「ターゲットセルの設定情報」は、１つの情報コンテナ（例えば、ｃｏｎｔａｉｎｅｒ（ＲＲＣ  Ｒｅｃｏｎｆｉｇｕｒａｔｉｏｎ））に含まれる。
【００８０】
方法２．１（単一リスト関連、条件と設定は、１対１）
【００８１】
その設定は、
トリガー条件リスト（例えば、ｌｉｓｔ  Ｏｆ  Ｃｏｎｄｉｔｉｏｎ）を含み、
ここで、該「トリガー条件リスト」の各項目は、条件セル管理用の１つの「トリガー条件情報」と１つの「ターゲットセルの設定情報」を含み、  
ここで、該「トリガー条件リスト」の各項目の「トリガー条件情報」は、１つの情報コンテナ（例えば、ｃｏｎｔａｉｎｅｒ（ｃｏｎｄｉｔｉｏｎ））に含まれ、
ここで、該「トリガー条件リスト」の各項目の「ターゲットセルの設定情報」は、１つの情報コンテナ（例えば、ｃｏｎｔａｉｎｅｒ（ＲＲＣ  Ｒｅｃｏｎｆｉｇｕｒａｔｉｏｎ））に含まれ、
ここで、該「トリガー条件リスト」の各項目は、１つの情報コンテナに含まれる。
【００８２】
方法２．２（単一リスト関連、条件と設定は、１対多）
【００８３】
その設定は、
トリガー条件リスト（例えば、ｌｉｓｔ  Ｏｆ  Ｃｏｎｄｉｔｉｏｎ）を含み、
ここで、該「トリガー条件リスト」の各項目は、条件セル管理用の１つの「トリガー条件情報」と１つ以上の「ターゲットセルの設定情報」を含み、
ここで、該「トリガー条件リスト」の各項目の「トリガー条件情報」は、１つの情報コンテナ（例えば、ｃｏｎｔａｉｎｅｒ（ｃｏｎｄｉｔｉｏｎ））に含まれ、
ここで、該「トリガー条件リスト」の各項目の「ターゲットセルの設定情報」は、１つの情報コンテナ（例えば、ｃｏｎｔａｉｎｅｒ（ＲＲＣ  Ｒｅｃｏｎｆｉｇｕｒａｔｉｏｎ））に含まれ、
ここで、該「トリガー条件リスト」の各項目は、１つの情報コンテナに含まれる。
【００８４】
方法２.３（単一リスト関連、条件と設定は、多対１）
【００８５】
その設定は、
トリガー条件リスト（例えば、ｌｉｓｔ  Ｏｆ  Ｃｏｎｄｉｔｉｏｎ）を含み、
ここで、該「トリガー条件リスト」の各項目は、条件セル管理用の１つ以上の「トリガー条件情報」と１つの「ターゲットセルの設定情報」を含み、  
ここで、該「トリガー条件リスト」の各項目の「トリガー条件情報」は、１つの情報コンテナ（例えば、ｃｏｎｔａｉｎｅｒ（ｃｏｎｄｉｔｉｏｎ））に含まれ、
ここで、該「トリガー条件リスト」の各項目の「ターゲットセルの設定情報」は、１つの情報コンテナ（例えば、ｃｏｎｔａｉｎｅｒ（ＲＲＣ  Ｒｅｃｏｎｆｉｇｕｒａｔｉｏｎ））に含まれ、
ここで、該「トリガー条件リスト」の各項目は、１つの情報コンテナに含まれる。
【００８６】
ステップ５０２では、２つの方法によってトリガー条件情報とターゲットセルの設定情報との関連関係を正しく指示することが実現され得る。その方法１として、ネットワーク側が、トリガー条件リストとターゲットセルの設定情報リストとを設定し、トリガー条件とセル設定情報との関連関係リストを設定する。端末は、ネットワークによって設定された関連関係リストに基づき、ある条件をトリガーすると、その条件に関連したターゲットセルの設定を採用する。その方法２として、ネットワーク側は、１つのリストを設定する。該リストの各項目は、ターゲットセルの設定情報と、それに対応するトリガー条件とを含む。端末は、そのリスト情報に基づいて、ある条件をトリガーすると、該条件に対応するターゲットセルの設定情報を採用する。
【００８７】
ステップ５０３、端末は、ネットワーク側の設定に基づき、条件の評価を行う。該評価方法は、
方法１（ステップ２の方法１に対応）、ＵＥは、「関連関係リスト」で指定される「ターゲットセル設定リスト」における対応する条件、又は「トリガー条件リスト」における対応する条件を評価することと、
方法２（ステップ２の方法２．１〜２．３に対応）、ＵＥは「トリガー条件リスト」における対応する条件を評価することと、含む。
【００８８】
ステップ５０４、ステップ３に基づき、端末がトリガー条件を満たした後、該条件に対応する設定を応用する。該設定を応用する方法は、
方法１（ステップ２の方法１に対応）、ＵＥは、「関連関係リスト」で指定される「トリガー条件リスト」における対応するターゲットセルの設定を採用することと、
方法２（ステップ２の方法２．１〜２．３に対応）、ＵＥは、「トリガー条件リスト」における対応するターゲットセルの設定を評価することと、を含む。
【００８９】
本実施例の方法を採用することにより、条件トリガーを用いてセルを変更した後に、トリガー条件とセル設定との正確な関連付けを実現することができる。端末の正確な設定を行い、トリガー条件とセル設定とのより柔軟な関連付けの設定を実現することができる。
【００９０】
図６は、本開示の実施例に係る別のセル設定方法の概略図である、図６に示すように、図６におけるソースノード及びターゲットノードは、ハンドオーバー過程におけるソース基地局及びターゲット基地局だったり、ＤＣにおけるソースＳＮ及びターゲットＳＮだったり、ＤＣにおけるソースＭＮ及びターゲットＳＮだったりであり得る。図６に示されるその方法は、ステップ６０１〜ステップ６０４とを含む。
【００９１】
ステップ６０１、図５に示す実施例におけるステップ５０１と同じ、ここで贅言しない。
【００９２】
ステップ６０２、ネットワーク側のターゲットノードは、ソースノードから条件トリガーによる１つ以上のセル管理要求情報を受信した後、「トリガー条件情報」と「ターゲットセルの設定情報」とを関連付けたＲＲＣメッセージを端末に送信する。ここで、該ＲＲＣメッセージに設定される「トリガー条件情報」と「ターゲットセルの設定情報」との関連付けの方法は、図５に示す実施例におけるステップ５０２と同じであり、ここで、該ＲＲＣ設定情報は、ソースノードを介して、ＵＥに転送される。
【００９３】
ステップ６０３、図５に示す実施例におけるステップ５０３と同じ、ここで贅言しない。
【００９４】
ステップ６０４、図５に示す実施例におけるステップ５０４と同じ、ここで贅言しない。
【００９５】
本実施例の方法を採用することにより、条件トリガーを用いてセルを変更した後に、トリガー条件とセル設定との正確な関連付けを実現することができる。端末の正確な設定を行い、トリガー条件とセル設定とのより柔軟な関連付けの設定を実現することができる。
【００９６】
図７は、本開示の実施例に係る端末の構成図である。図７に示すように、端末は、
ネットワークから送信された、セル設定情報及びトリガー条件情報を含む設定メッセージを受信することに用いられる受信モジュール７０１と、
前記端末が前記トリガー条件情報を満たす場合、前記セル設定情報を用いてセル設定を行うことに用いられると設定モジュール７０２と、を含む。
【００９７】
選択可能に、前記設定メッセージは、１つ以上のセル設定情報及び１つ以上のトリガー条件情報を含み、
設定モジュール７０２は、前記端末が少なくとも１つのトリガー条件情報を満たす場合、前記少なくとも１つのトリガー条件情報に対応するセル設定情報を用いてセル設定を行うことに用いられる。
【００９８】
選択可能に、前記設定メッセージは、トリガー条件情報リスト、セル設定情報リスト、及び関連関係リストを含み、前記トリガー条件情報リストは、１つ以上のトリガー条件情報を含み、前記セル設定情報リストは、１つ以上のセル設定情報を含み、前記関連関係リストは、トリガー条件情報とセル設定情報との関連関係を含み、又は、
前記設定メッセージは、トリガー条件リストを含み、ここで、前記トリガー条件リストの各項目は、いずれも、トリガー条件情報と、そのトリガー条件情報に対応するセル設定情報とを含む。
【００９９】
選択可能に、前記トリガー条件情報リストの各項目は、いずれも、トリガー条件情報と、そのトリガー条件情報に対応する識別子情報とを含み、
前記セル設定情報リストの各項目は、いずれも、セル設定情報と、そのセル設定情報に対応する識別子情報とを含み、
前記関連関係は、
トリガー条件情報に対応する識別子情報とセル設定情報に対応する識別子情報との関連関係、又は、
トリガー条件情報に対応する識別子情報と前記セル設定情報リストの項目ラベルとの関連関係、又は、
トリガー条件情報リストの項目ラベルとセル設定情報に対応する識別子情報との関連関係、又は、
トリガー条件情報リストの項目ラベルと前記セル設定情報リストの項目ラベルとの関連関係を含む。
【０１００】
選択可能に、前記トリガー条件リストは、
第１条件項目、第２条件項目、及び第３条件項目の少なくとも１つを含み、
ここで、前記第１条件項目は、１つのトリガー条件情報及びその１つのトリガー条件情報に対応する１つのセル設定情報を含み、
前記第２条件項目は、１つのトリガー条件情報及びその１つのトリガー条件情報に対応する複数のセル設定情報を含み、又は、
前記第３条件項目は、１つのセル設定情報及びその１つのセル設定情報に対応する１つ以上のトリガー条件情報を含む。
【０１０１】
選択可能に、前記設定メッセージは、
前記トリガー条件情報リストの各項目のトリガー条件情報は、それぞれ異なる情報コンテナに設定されることと、
前記セル設定情報リストの各項目のセル設定情報は、それぞれ異なる情報コンテナに設定されることと、
前記トリガー条件リストの各項目のトリガー条件情報は、それぞれ異なる情報コンテナに設定されることと、
前記トリガー条件リストの各項目のセル設定情報は、それぞれ異なる情報コンテナに設定されることと、
前記トリガー条件リストの各項目における、トリガー条件情報及びそのトリガー条件情報に対応するセル設定情報を含む内容は、それぞれ異なる情報コンテナに設定されることと、の少なくとも１つの設定を有する。
【０１０２】
選択可能に、受信モジュール７０１は、ソースノードから送信された前記設定メッセージを受信すること、又は、
ターゲットノードからソースノードを介して送信された前記設定メッセージを受信することに用いられる。
【０１０３】
本開示の実施例に提供される端末は、図２及び図３の方法の実施例における端末が実現する各過程を実現することができ、重複を避けるため、ここで贅言しないが、端末のセルを柔軟に設定し、端末の通信性能を向上させることができる。
【０１０４】
図８は、本開示の実施例に係るソースノード又はターゲットノードであるネットワークノードの構成図である。図８に示すように、ネットワークノード８００は、
セル設定情報とトリガー条件情報とを取得することに用いられる取得モジュール８０１と、
前記セル設定情報及び前記トリガー条件情報を含む設定メッセージを端末に送信することに用いられる送信モジュール８０２とを含む。
【０１０５】
選択可能に、前記設定メッセージは、１つ以上のセル設定情報及び１つ以上のトリガー条件情報を含む。
【０１０６】
選択可能に、前記設定メッセージは、トリガー条件情報リスト、セル設定情報リスト、及び関連関係リストを含み、前記トリガー条件情報リストは、１つ以上のトリガー条件情報を含み、前記セル設定情報リストは、１つ以上のセル設定情報を含み、前記関連関係リストは、トリガー条件情報とセル設定情報との関連関係を含み、又は、
前記設定メッセージは、トリガー条件リストを含み、ここで、前記トリガー条件リストの各項目は、いずれも、トリガー条件情報と、そのトリガー条件情報に対応するセル設定情報とを含む。
選択可能に、前記トリガー条件情報リストの各項目は、いずれも、トリガー条件情報と、そのトリガー条件情報に対応する識別子情報とを含み、
前記セル設定情報リストの各項目は、いずれも、セル設定情報と、そのセル設定情報に対応する識別子情報とを含み、
前記関連関係は、
トリガー条件情報に対応する識別子情報とセル設定情報に対応する識別子情報との関連関係、又は、
トリガー条件情報に対応する識別子情報と前記セル設定情報リストの項目ラベルとの関連関係、又は、
トリガー条件情報リストの項目ラベルとセル設定情報に対応する識別子情報との関連関係、又は、
トリガー条件情報リストの項目ラベルと前記セル設定情報リストの項目ラベルとの関連関係を含む。
【０１０７】
選択可能に、前記トリガー条件リストは、
第１条件項目、第２条件項目、及び第３条件項目の少なくとも１つを含み、
ここで、前記第１条件項目は、１つのトリガー条件情報及びその１つのトリガー条件情報に対応する１つのセル設定情報を含み、
前記第２条件項目は、１つのトリガー条件情報及びその１つのトリガー条件情報に対応する複数のセル設定情報を含み、又は、
前記第３条件項目は、１つのセル設定情報及びその１つのセル設定情報に対応する１つ以上のトリガー条件情報を含む。
【０１０８】
選択可能に、前記設定メッセージは、
前記トリガー条件情報リストの各項目のトリガー条件情報は、それぞれ異なる情報コンテナに設定されることと、
前記セル設定情報リストの各項目のセル設定情報は、それぞれ異なる情報コンテナに設定されることと、
前記トリガー条件リストの各項目のトリガー条件情報は、それぞれ異なる情報コンテナに設定されることと、
前記トリガー条件リストの各項目のセル設定情報は、それぞれ異なる情報コンテナに設定されることと、
前記トリガー条件リストの各項目における、トリガー条件情報及びそのトリガー条件情報に対応するセル設定情報を含む内容は、それぞれ異なる情報コンテナに設定されることと、の少なくとも１つの設定を有する。
【０１０９】
選択可能に、前記ネットワークノードが前記ターゲットノードである場合、前記セル設定情報及び前記トリガー条件情報は、前記ターゲットノードが前記ソースノードとネゴシエートすることによって特定されるものであり、又は
前記ネットワークノードが前記ソースノードである場合、前記セル設定情報及び前記トリガー条件情報は、前記ソースノードが１つ以上のターゲットノードとネゴシエートすることによって特定されるものである。
【０１１０】
選択可能に、前記ネットワークノードが前記ターゲットノードである場合、前記ターゲットノードは、前記ソースノードを介して、前記設定メッセージを前記端末に送信する。
【０１１１】
本開示の実施例に提供されるネットワークノードは、図４の方法の実施例におけるソースノード又はターゲットノードが実現する各過程を実現することができ、重複を避けるため、ここで贅言しないが、端末のセルを柔軟に設定し、端末の通信性能を向上させることができる。
【０１１２】
図９は本開示の各実施例に係る端末のハードウェアの構成図である。
【０１１３】
端末９００は、無線周波数ユニット９０１、ネットワークモジュール９０２、オーディオ出力ユニット９０３、入力ユニット９０４、センサ９０５、表示ユニット９０６、ユーザ入力ユニット９０７、インタフェースユニット９０８、メモリ９０９、プロセッサ９１０、電源９１１等を有するが、これらに限定されるものではない。当業者が理解できるように、図９に示す端末構成は、端末を限定するものではなく、端末は、図示より多いか又は少ない部品を含んでよく、ある部品を組み合わせたり、異なる部品を配置したりしてもよい。本開示の実施例では、端末は、携帯電話、タブレット、ノートパソコン、ハンドトップ、車載端末、ウェアラブルデバイス及び歩数計等を含むが、これらに限定されない。
【０１１４】
無線周波数ユニット９０１、ネットワークから送信された、セル設定情報及びトリガー条件情報を含む設定メッセージを受信することに用いられる。
【０１１５】
プロセッサ９１０は、前記端末が前記トリガー条件情報を満たす場合、前記セル設定情報を用いてセル設定を行うことに用いられる。
【０１１６】
選択可能に、前記設定メッセージは、１つ以上のセル設定情報及び１つ以上のトリガー条件情報を含み、
プロセッサ９１０による、前記端末が前記トリガー条件情報を満たす場合、前記セル設定情報を用いてセル設定を行うことは、
前記端末が少なくとも１つのトリガー条件情報を満たす場合、前記少なくとも１つのトリガー条件情報に対応するセル設定情報を用いてセル設定を行うことを含む。
【０１１７】
選択可能に、前記設定メッセージは、トリガー条件情報リスト、セル設定情報リスト、及び関連関係リストを含み、前記トリガー条件情報リストは、１つ以上のトリガー条件情報を含み、前記セル設定情報リストは、１つ以上のセル設定情報を含み、前記関連関係リストは、トリガー条件情報とセル設定情報との関連関係を含み、又は、
前記設定メッセージは、トリガー条件リストを含み、ここで、前記トリガー条件リストの各項目は、いずれも、トリガー条件情報と、そのトリガー条件情報に対応するセル設定情報とを含む。
【０１１８】
選択可能に、前記トリガー条件情報リストの各項目は、いずれも、トリガー条件情報と、そのトリガー条件情報に対応する識別子情報とを含み、
前記セル設定情報リストの各項目は、いずれも、セル設定情報と、そのセル設定情報に対応する識別子情報とを含み、
前記関連関係は、
トリガー条件情報に対応する識別子情報とセル設定情報に対応する識別子情報との関連関係、又は、
トリガー条件情報に対応する識別子情報と前記セル設定情報リストの項目ラベルとの関連関係、又は、
トリガー条件情報リストの項目ラベルとセル設定情報に対応する識別子情報との関連関係、又は、
トリガー条件情報リストの項目ラベルと前記セル設定情報リストの項目ラベルとの関連関係を含む。
【０１１９】
選択可能に、前記トリガー条件リストは、
第１条件項目、第２条件項目、及び第３条件項目の少なくとも１つを含み、
ここで、前記第１条件項目は、１つのトリガー条件情報及びその１つのトリガー条件情報に対応する１つのセル設定情報を含み、
前記第２条件項目は、１つのトリガー条件情報及びその１つのトリガー条件情報に対応する複数のセル設定情報を含み、又は、
前記第３条件項目は、１つのセル設定情報及びその１つのセル設定情報に対応する１つ以上のトリガー条件情報を含む。
【０１２０】
選択可能に、前記設定メッセージは、
前記トリガー条件情報リストの各項目のトリガー条件情報は、それぞれ異なる情報コンテナに設定されることと、
前記セル設定情報リストの各項目のセル設定情報は、それぞれ異なる情報コンテナに設定されることと、
前記トリガー条件リストの各項目のトリガー条件情報は、それぞれ異なる情報コンテナに設定されることと、
前記トリガー条件リストの各項目のセル設定情報は、それぞれ異なる情報コンテナに設定されることと、
前記トリガー条件リストの各項目における、トリガー条件情報及びそのトリガー条件情報に対応するセル設定情報を含む内容は、それぞれ異なる情報コンテナに設定されることと、の少なくとも１つの設定を有する。
【０１２１】
選択可能に、無線周波数ユニット９０１による、ネットワークから送信された設定メッセージを受信することは、
ソースノードから送信された前記設定メッセージを受信すること、又は、
ターゲットノードからソースノードを介して送信された前記設定メッセージを受信することを含む。
【０１２２】
前記端末は、端末のセルを柔軟に設定し、端末の通信性能を向上させることができる。
【０１２３】
なお、本開示の実施例において、無線周波数ユニット９０１は、情報の送受信又は通話中に信号の送受信に用いられ、具体的には、基地局から下りデータを受信した後、プロセッサ９１０による処理に提供される。また、上りデータを基地局に送信する。通常、無線周波数ユニット９０１は、アンテナ、少なくとも１つのアンプ、トランシーバ、カプラ、低ノイズアンプ、デュプレクサー等を含むが、これらに限定されない。また、無線周波数ユニット９０１は、無線通信システムを介して、ネットワーク及びほかの機器との通信を行うことができる。
【０１２４】
端末は、ネットワークモジュール９０２によりユーザに無線のブロードバンドインターネットアクセスを提供して、例えば、ユーザの電子メールの送受信、ウェブの閲覧及びストリーミングメディアのアクセス等を助ける。
【０１２５】
オーディオ出力ユニット９０３は、無線周波数ユニット９０１又はネットワークモジュール９０２によって受信されるか又はメモリ９０９に記憶されるオーディオデータをオーディオ信号に変換して音声として出力することができる。そして、オーディオ出力ユニット９０３は、さらに端末９００によって実行される特定の機能に関連するオーディオ出力（例えば、呼出音、メッセージ着信音等）を提供することができる。オーディオ出力ユニット９０３は、スピーカー、ブザー及びレシーバー等を含む。
【０１２６】
入力ユニット９０４は、オーディオ又はビデオ信号を受信する。入力ユニット９０４は、グラフィック処理ユニット（Ｇｒａｐｈｉｃｓ  Ｐｒｏｃｅｓｓｉｎｇ  Ｕｎｉｔ、ＧＰＵ）９０４１及びマイクロフォン９０４２を含んでよく、グラフィック処理ユニット９０４１は、動画撮影モード又は撮影モードで撮影装置（例えば、カメラ）によって取得された静止画像又はビデオの画像データを処理する。処理後の画像フレームは表示ユニット９０６に表示されてよい。グラフィック処理ユニット９０４１によって処理された画像フレームは、メモリ９０９（又は他の記憶媒体）に記憶されてもよく、無線周波数ユニット９０１又はネットワークモジュール９０２によって送信されてもよい。マイクロフォン９０４２は、音声を受信し、かつこのような音声をオーディオデータに処理することができる。処理後のオーディオデータを、電話通話モードの場合に無線周波数ユニット９０１によって移動通信基地局に送信されるフォーマットに変換して出力することができる。
【０１２７】
携帯端末９００は、さらに、光センサ、動きセンサ及び他のセンサ等の少なくとも１種のセンサ９０５を含んでよい。具体的には、光センサは、環境光線の明るさに応じて表示パネル９０６１の輝度を調節することができる環境光センサと、携帯端末９００が耳元に移動するときに、表示パネル９０６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、携帯端末姿勢の識別（例えば、縦向きと横向きの切替、ゲーム関連、磁力計の姿勢較正）、振動識別に関連する機能（例えば、歩数計、タッピング）等に用いられてよく、センサ９０５は、さらに指紋センサ、圧力センサ、虹彩センサ、分子センサ、ジャイロスコープ、気圧計、湿度計、温度計、赤外線センサ等を含んでよく、ここでは説明を省略する。
【０１２８】
表示ユニット９０６は、ユーザによって入力された情報又はユーザに提供された情報を表示する。表示ユニット９０６は、表示パネル９０６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等の形式で表示パネル９０６１を配置してよい。
【０１２９】
ユーザ入力ユニット９０７は、入力された数字又は文字情報を受信すると共に、携帯端末のユーザ設定及び機能制御に関連するキー信号入力を生成することができる。具体的には、ユーザ入力ユニット９０７は、タッチパネル９０７１及び他の入力デバイス９０７２を含む。タッチパネル９０７１は、タッチスクリーンとも呼ばれ、その上又はその近くでのユーザのタッチ操作（例えば、指、スタイラスペン等の任意の適切な物体又は付属品を用いるタッチパネル９０７１上又はタッチパネル９０７１の近くでのユーザの操作）を収集することができる。タッチパネル９０７１は、タッチ検出装置及びタッチコントローラの２つの部品を含んでよい。タッチ検出装置は、ユーザのタッチ方向を検出し、タッチ操作による信号を検出し、信号をタッチコントローラに伝送し、タッチコントローラは、タッチ検出装置からタッチ情報を受信し、かつタッチポイント座標に変換し、その後にプロセッサ９０１０に送信し、プロセッサ９０１０から送信されたコマンドを受信し、実行する。また、抵抗式、容量式、赤外線式及び表面弾性波式等の複数のタイプでタッチパネル９０７１を実現することができる。タッチパネル９０７１に加えて、入力ユニット９０７は、他の入力デバイス９０７２をさらに含んでよい。具体的には、他の入力デバイス９０７２は、物理キーボード、機能キー（例えば、ボリューム調節キー、スイッチキー等）、トラックボール、マウス、及び操作レバーを含むが、これらに限定されず、ここでは説明を省略する。
【０１３０】
さらに、タッチパネル９０７１は、表示パネル９０６１をカバーしてよく、タッチパネル９０７１がその上又はその近くでのタッチ操作を検出した後、プロセッサ９０１０に伝送してタッチイベントのタイプを決定し、その後に、プロセッサ９０１０は、タッチイベントのタイプに応じて表示パネル９０１６に対応する視覚的出力を提供する。図９において、タッチパネル９０７１と表示パネル９０６１は２つの独立した部品として携帯端末の入力と出力機能を実現するが、いくつかの実施例では、タッチパネル９０７１と表示パネル９０６１を一体化して携帯端末の入力と出力機能を実現することができ、ここで限定しない。
【０１３１】
インタフェースユニット９０８は、外部装置と携帯端末９００を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポート等を含んでよい。インタフェースユニット９０８は、外部装置からの入力（例えば、データ情報、電力等）を受信すると共に、受信した入力を携帯端末９００内の１つ又は複数の素子に伝送するか又は携帯端末９００と外部装置の間にデータを伝送する。
【０１３２】
メモリ９０９は、ソフトウェアプログラム及び様々なデータを記憶することができる。メモリ９０９は、主に、オペレーティングシステム、少なくとも１つの機能に必要なアプリケーションプログラム（例えば、音声再生機能、画像再生機能等）等を記憶することができるプログラム記憶領域と、携帯電話の使用に応じて作成されたデータ（例えば、オーディオデータ、電話帳等）等を記憶することができるデータ記憶領域を含んでよい。また、メモリ９０９は、高速ランダムアクセスメモリを含んでよく、少なくとも１つの磁気ディスクメモリ素子、フラッシュメモリ素子等の不揮発性メモリ、又は他の揮発性固体メモリ素子を含んでもよい。
【０１３３】
プロセッサ９１０は、端末の制御センターであり、様々なインタフェースと回線により端末全体の各部分に接続され、メモリ９０９に記憶されたソフトウェアプログラム及び／又はモジュールを動作させるか又は実行し、メモリ９０９に記憶されたデータを呼び出すことにより、端末の様々な機能とデータ処理を実行して、端末全体を監視する。プロセッサ９１０は、１つ又は複数の処理ユニットを含んでよく、選択可能に、プロセッサ９１０は、主にオペレーティングシステム、ユーザインタフェース及びアプリケーションプログラム等を処理するアプリケーションプロセッサと、主に無線通信を処理するモデムプロセッサとを集積することができる。理解できるように、上記モデムプロセッサは、プロセッサ９１０に集積されなくてもよい。
【０１３４】
端末９００は、各部品に給電する電源９０１１（例えば、電池）を含んでよく、選択可能に、電源９０１１は、電源管理システムによりプロセッサ９０１０と論理的に接続されて、電源管理システムにより充電、放電の管理及び消費電力の管理等の機能を実現する。
【０１３５】
また、端末９００は、図示しない機能モジュールを含み、ここでは贅言しない。
【０１３６】
好ましくは、本開示の実施例は、また、プロセッサ９１０、メモリ９０９、メモリ９０９に記憶され、プロセッサ９１０によって実行されるコンピュータプログラムを含む端末を提供する。コンピュータプログラムは、プロセッサ９１０によって実行されると、上記セル設定方法の実施例の各プロセスを実現し、同じ技術的効果を達成することができるが、重複を避けるために、ここでは贅言しない。
【０１３７】
図１０は、本開示の実施例に係るソースノード又はターゲットノードである別のネットワークノードの構成図である。図１０に示すように、ネットワークノード１０００は、プロセッサ１００１、トランシーバ１００２、メモリ１００３、及びバスインタフェースを含み、ここで
トランシーバ１００２は、セル設定情報とトリガー条件情報とを取得することと、
前記セル設定情報及び前記トリガー条件情報を含む設定メッセージを端末に送信することとに用いられる。
【０１３８】
選択可能に、前記設定メッセージは、１つ以上のセル設定情報及び１つ以上のトリガー条件情報を含む。
【０１３９】
選択可能に、前記設定メッセージは、トリガー条件情報リスト、セル設定情報リスト、及び関連関係リストを含み、前記トリガー条件情報リストは、１つ以上のトリガー条件情報を含み、前記セル設定情報リストは、１つ以上のセル設定情報を含み、前記関連関係リストは、トリガー条件情報とセル設定情報との関連関係を含み、又は、
前記設定メッセージは、トリガー条件リストを含み、ここで、前記トリガー条件リストの各項目は、いずれも、トリガー条件情報と、そのトリガー条件情報に対応するセル設定情報とを含む。
【０１４０】
選択可能に、前記トリガー条件情報リストの各項目は、いずれも、トリガー条件情報と、そのトリガー条件情報に対応する識別子情報とを含み、
前記セル設定情報リストの各項目は、いずれも、セル設定情報と、そのセル設定情報に対応する識別子情報とを含み、
前記関連関係は、
トリガー条件情報に対応する識別子情報とセル設定情報に対応する識別子情報との関連関係、又は、
トリガー条件情報に対応する識別子情報と前記セル設定情報リストの項目ラベルとの関連関係、又は、
トリガー条件情報リストの項目ラベルとセル設定情報に対応する識別子情報との関連関係、又は、
トリガー条件情報リストの項目ラベルと前記セル設定情報リストの項目ラベルとの関連関係を含む。
【０１４１】
選択可能に、前記トリガー条件リストは、
第１条件項目、第２条件項目、及び第３条件項目の少なくとも１つを含み、
ここで、前記第１条件項目は、１つのトリガー条件情報及びその１つのトリガー条件情報に対応する１つのセル設定情報を含み、
前記第２条件項目は、１つのトリガー条件情報及びその１つのトリガー条件情報に対応する複数のセル設定情報を含み、又は、
前記第３条件項目は、１つのセル設定情報及びその１つのセル設定情報に対応する１つ以上のトリガー条件情報を含む。
【０１４２】
選択可能に、前記設定メッセージは、
前記トリガー条件情報リストの各項目のトリガー条件情報は、それぞれ異なる情報コンテナに設定されることと、
前記セル設定情報リストの各項目のセル設定情報は、それぞれ異なる情報コンテナに設定されることと、
前記トリガー条件リストの各項目のトリガー条件情報は、それぞれ異なる情報コンテナに設定されることと、
前記トリガー条件リストの各項目のセル設定情報は、それぞれ異なる情報コンテナに設定されることと、
前記トリガー条件リストの各項目における、トリガー条件情報及びそのトリガー条件情報に対応するセル設定情報を含む内容は、それぞれ異なる情報コンテナに設定されることと、の少なくとも１つの設定を有する。
【０１４３】
選択可能に、前記ネットワークノードが前記ターゲットノードである場合、前記セル設定情報及び前記トリガー条件情報は、前記ターゲットノードが前記ソースノードとネゴシエートすることによって特定されるものであり、又は
前記ネットワークノードが前記ソースノードである場合、前記セル設定情報及び前記トリガー条件情報は、前記ソースノードが１つ以上のターゲットノードとネゴシエートすることによって特定されるものである。
【０１４４】
選択可能に、前記ネットワークノードが前記ターゲットノードである場合、前記ターゲットノードは、前記ソースノードを介して、前記設定メッセージを前記端末に送信する。
【０１４５】
前記ネットワークノードは、端末のセルを柔軟に設定し、端末の通信性能を向上させることができる。
【０１４６】
ここで、トランシーバ１００２は、プロセッサ１００１の制御で、データの受信と送信とに用いられ、前記トランシーバ１００２は、少なくとも２つのアンテナポートを含む。
【０１４７】
図１０では、バスアーキテクチャは、任意数の相互接続するバスとブリッジを含み、具体的に、プロセッサ１００１をはじめとする１つ又は複数のプロセッサとメモリ１００３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１００２は、複数の部品であってもよく、即ち送信機と受信機を含み、伝送媒体でほかの各種類の装置と通信するユニットとして提供される。ユーザ端末によっては、ユーザインタフェース１００４は、内部接続や外部接続する機器のインタフェースであってもよい。接続する機器は、キーパッド、ディスプレイ、スピーカー、マイクロフォン、ジョイスティックなどを含むが、それらに限られない。
【０１４８】
プロセッサ１００１は、バスアーキテクチャと通常の処理を管理する。メモリ１００３は、プロセッサ１００１による作業時に使用されるデータを記憶できる。
好ましくは、本開示は、プロセッサ１００１と、メモリ１００３と、メモリ１００３に記憶され、プロセッサ１００１上で実行可能なコンピュータプログラムと含むネットワークノードをさらに提供する。コンピュータプログラムは、プロセッサ１００１によって実行されると、上記のセル設定方法の実施例の各プロセスを実現し、同じ技術的結果を達成することが可能であり、繰り返しを避けるために、ここで贅言しない。
【０１４９】
また、本開示の実施例は、コンピュータプログラムが記憶されているコンピュータ読み取り可能な記憶媒体をさらに提供し、当該コンピュータプログラムがプロセッサによって実行されると、本開示の実施例に提供される端末側のセル設定方法の実施例の各プロセスを実現するか、又は、本開示の実施例に提供されるゲットノード又はソースノード側のセル設定方法の実施例の各プロセスを実現し、かつ同じ技術効果を奏することもできるので、重複を避けるために、ここでは繰り返して記載しない。ここで、前記コンピュータ読み取り可能な記憶媒体は、リードオンリーメモリＲＯＭ（Ｒｅａｄ−Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク又は光ディスクなどである。
【０１５０】
なお、本明細書において、用語「含める」、「含む」、又はそれらの任意の他の変形形態は、非排他的な包含をカバーするように意図され、したがって、要素のシリーズを含むプロセス、方法、品目、又は装置は、それらの要素だけでなく、明示的に列挙されていない他の要素も含み、又はそのようなプロセス、方法、品目、もしくは装置に固有の要素も含む。「……を１つ含む」という表現によって定義される要素は、これ以上限定せずに、追加の同一の要素が、その要素を含むプロセス、方法、物品、又は装置内に存在することを除外しない。
【０１５１】
上記の実施形態の説明により、当業者は、上記の実施例の方法は、ソフトウェアプラスに必要な汎用ハードウェアプラットフォームを追加することによって達成することができることを明確に理解することができ、もちろん、ハードウェアのみを介しても達成し得、しかし、多くの場合、前者は、より良い実施方式である。この理解に基づいて、本開示の技術手段は、本質的に、又は従来技術に寄与する部分は、コンピュータソフトウェア製品の形で具体化することができ、コンピュータソフトウェア製品は、（ＲＯＭ／ＲＡＭ、磁気ディスク、光ディスクなどの）記憶媒体に記憶され、（携帯電話、コンピュータ、サーバー、エアコン、又はネットワーク機器などであってもよい）端末に、この開示の各実施例で説明した方法を実行させるために用いられるいくつかの命令を含む。
【０１５２】
以上、本開示の実施例について図面を参照して説明したが、本開示は、上記実施形態に限定されるものではなく、上記実施例は、単なる例示であって、限定的なものではなく、当業者が、本開示の教示を受けて、本発明の要旨及び特許請求の範囲から逸脱することなく、多くの形態をとり得るものは、本発明の保護範囲に含まれる。
【図１】
2021519015.tif 000003
【図２】
2021519015.tif 000004
【図３】
2021519015.tif 000005
【図４】
2021519015.tif 000006
【図５】
2021519015.tif 000007
【図６】
2021519015.tif 000008
【図７】
2021519015.tif 000009
【図８】
2021519015.tif 000010
【図９】
2021519015.tif 000011
【図１０】
2021519015.tif 000012
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
端末に適用されるセル設定方法であって、
ネットワークから送信された、セル設定情報及びトリガー条件情報を含む設定メッセージを受信することと、
前記端末が前記トリガー条件情報を満たす場合、前記セル設定情報を用いてセル設定を行うことと、を含むセル設定方法。
【請求項２】
前記設定メッセージは、１つ以上のセル設定情報及び１つ以上のトリガー条件情報を含み、
前記端末が前記トリガー条件情報を満たす場合、前記セル設定情報を用いてセル設定を行うことは、
前記端末が少なくとも１つのトリガー条件情報を満たす場合、前記少なくとも１つのトリガー条件情報に対応するセル設定情報を用いてセル設定を行うことを含む、請求項１に記載のセル設定方法。
【請求項３】
前記設定メッセージは、トリガー条件情報リスト、セル設定情報リスト、及び関連関係リストを含み、
前記トリガー条件情報リストは、１つ以上のトリガー条件情報を含み、
前記セル設定情報リストは、１つ以上のセル設定情報を含み、
前記関連関係リストは、トリガー条件情報とセル設定情報との関連関係を含み、
又は、
前記設定メッセージは、トリガー条件リストを含み、
前記トリガー条件リストの各項目は、いずれも、トリガー条件情報と、そのトリガー条件情報に対応するセル設定情報とを含む、請求項１に記載のセル設定方法。
【請求項４】
前記トリガー条件情報リストの各項目は、いずれも、トリガー条件情報と、そのトリガー条件情報に対応する識別子情報とを含み、
前記セル設定情報リストの各項目は、いずれも、セル設定情報と、そのセル設定情報に対応する識別子情報とを含み、
前記関連関係は、
トリガー条件情報に対応する識別子情報とセル設定情報に対応する識別子情報との関連関係、又は、
トリガー条件情報に対応する識別子情報と前記セル設定情報リストの項目ラベルとの関連関係、又は、
トリガー条件情報リストの項目ラベルとセル設定情報に対応する識別子情報との関連関係、又は、
トリガー条件情報リストの項目ラベルと前記セル設定情報リストの項目ラベルとの関連関係を含む、請求項３に記載のセル設定方法。
【請求項５】
前記トリガー条件リストは、
第１条件項目、第２条件項目、及び第３条件項目の少なくとも１つを含み、
前記第１条件項目は、１つのトリガー条件情報及びその１つのトリガー条件情報に対応する１つのセル設定情報を含み、
前記第２条件項目は、１つのトリガー条件情報及びその１つのトリガー条件情報に対応する複数のセル設定情報を含み、又は、
前記第３条件項目は、１つのセル設定情報及びその１つのセル設定情報に対応する１つ以上のトリガー条件情報を含む、請求項３に記載のセル設定方法。
【請求項６】
前記設定メッセージは、
前記トリガー条件情報リストの各項目のトリガー条件情報は、それぞれ異なる情報コンテナに設定されることと、
前記セル設定情報リストの各項目のセル設定情報は、それぞれ異なる情報コンテナに設定されることと、
前記トリガー条件リストの各項目のトリガー条件情報は、それぞれ異なる情報コンテナに設定されることと、
前記トリガー条件リストの各項目のセル設定情報は、それぞれ異なる情報コンテナに設定されることと、
前記トリガー条件リストの各項目における、トリガー条件情報及びそのトリガー条件情報に対応するセル設定情報を含む内容は、それぞれ異なる情報コンテナに設定されることと、の少なくとも１つの設定を有する、請求項３に記載のセル設定方法。
【請求項７】
ソースノード又はターゲットノードに適用されるセル設定方法であって、
セル設定情報とトリガー条件情報とを取得することと、
前記セル設定情報及び前記トリガー条件情報を含む設定メッセージを端末に送信することとを含む、セル設定方法。
【請求項８】
前記設定メッセージは、１つ以上のセル設定情報及び１つ以上のトリガー条件情報を含む、請求項７に記載のセル設定方法。
【請求項９】
前記設定メッセージは、トリガー条件情報リスト、セル設定情報リスト、及び関連関係リストを含み、
前記トリガー条件情報リストは、１つ以上のトリガー条件情報を含み、
前記セル設定情報リストは、１つ以上のセル設定情報を含み、
前記関連関係リストは、トリガー条件情報とセル設定情報との関連関係を含み、
又は、
前記設定メッセージは、トリガー条件リストを含み、
前記トリガー条件リストの各項目は、いずれも、トリガー条件情報と、そのトリガー条件情報に対応するセル設定情報とを含む、請求項７に記載のセル設定方法。
【請求項１０】
前記トリガー条件情報リストの各項目は、いずれも、トリガー条件情報と、そのトリガー条件情報に対応する識別子情報とを含み、
前記セル設定情報リストの各項目は、いずれも、セル設定情報と、そのセル設定情報に対応する識別子情報とを含み、
前記関連関係は、
トリガー条件情報に対応する識別子情報とセル設定情報に対応する識別子情報との関連関係、又は、
トリガー条件情報に対応する識別子情報と前記セル設定情報リストの項目ラベルとの関連関係、又は、
トリガー条件情報リストの項目ラベルとセル設定情報に対応する識別子情報との関連関係、又は、
トリガー条件情報リストの項目ラベルと前記セル設定情報リストの項目ラベルとの関連関係を含む、請求項９に記載のセル設定方法。
【請求項１１】
前記トリガー条件リストは、
第１条件項目、第２条件項目、及び第３条件項目の少なくとも１つを含み、
前記第１条件項目は、１つのトリガー条件情報及びその１つのトリガー条件情報に対応する１つのセル設定情報を含み、
前記第２条件項目は、１つのトリガー条件情報及びその１つのトリガー条件情報に対応する複数のセル設定情報を含み、又は、
前記第３条件項目は、１つのセル設定情報及びその１つのセル設定情報に対応する１つ以上のトリガー条件情報を含む、請求項９に記載のセル設定方法。
【請求項１２】
前記設定メッセージは、
前記トリガー条件情報リストの各項目のトリガー条件情報は、それぞれ異なる情報コンテナに設定されることと、
前記セル設定情報リストの各項目のセル設定情報は、それぞれ異なる情報コンテナに設定されることと、
前記トリガー条件リストの各項目のトリガー条件情報は、それぞれ異なる情報コンテナに設定されることと、
前記トリガー条件リストの各項目のセル設定情報は、それぞれ異なる情報コンテナに設定されることと、
前記トリガー条件リストの各項目における、トリガー条件情報及びそのトリガー条件情報に対応するセル設定情報を含む内容は、それぞれ異なる情報コンテナに設定されることと、の少なくとも１つの設定を有する、請求項９に記載のセル設定方法。
【請求項１３】
端末であって、
ネットワークから送信された、セル設定情報及びトリガー条件情報を含む設定メッセージを受信することに用いられる受信モジュールと、
前記端末が前記トリガー条件情報を満たす場合、前記セル設定情報を用いてセル設定を行うことに用いられると設定モジュールと、を含む端末。
【請求項１４】
ソースノード又はターゲットノードであるネットワークノードであって、
セル設定情報とトリガー条件情報とを取得することに用いられる取得モジュールと、
前記セル設定情報及び前記トリガー条件情報を含む設定メッセージを端末に送信することに用いられる送信モジュールとを含む、ネットワークノード。
【請求項１５】
プロセッサによって実行されると、請求項１〜６のいずれか１項に記載のセル設定方法、又は請求項７〜１２のいずれか１項に記載のセル設定方法を実現するコンピュータプログラムを記憶しているコンピュータ可読記憶媒体。
【国際調査報告】
2021519015.tif 000013
2021519015.tif 000014
2021519015.tif 000015
2021519015.tif 000016